(57)【特許請求の範囲】
【請求項１】
飼育舎の窓を閉鎖部材により閉鎖して照明と換気を電力により行う無窓飼育舎において、
前記窓の閉鎖部材に直流の電動開閉手段を連係させ、この開閉手段により給電の継続中は前記閉鎖部材を閉鎖させて置き、
断電が起きるとタイマーを起動させて、タイマーの設定時間以上断電が続く場合、前記直流の電動開閉手段への給電を蓄電池に切換えて、前記閉鎖手段の開放を行わせる
ことを特徴とする無窓飼育舎の断電時自動開窓装置。
【発明の詳細な説明】
【０００１】
【産業上の利用分野】
本発明は、無窓飼育舎の閉鎖されている窓を断電すると蓄電池からの給電により開放させて、飼育舎を自然換気させる装置に関する。
【０００２】
【従来の技術】
飼育舎の窓を閉鎖して照明と換気を電力により行う無窓飼育舎において、窓の閉鎖部材を動力か人力により閉鎖して重力により開放させる構成とし、この閉鎖部材の開閉手段に給電中は重力による開放を阻止し、断電すると制止を解いて重力による開放を行わせる制止手段を装備した無窓飼育舎の断電時開窓装置は、実公平７−６７６６号公報により公知であり、断電時、無動力で確実な開窓が行われる特徴を有する。
【０００３】
しかし、前記した重力による閉鎖部材の開放は瞬間的に行われて激しい衝撃や騒音を発生するから、開閉部材や窓部を損傷したり、家畜、家禽にストレスを与えたりするだけでなく、開放用の重りやこの重りの開放力を制止する手段等の特殊な部品を用いた複雑な構造であるため、装置の製作コストが高価に付く問題点を有する。
【０００４】
【発明が解決しようとする課題】
本発明は、前記した従来の問題点を解決するためになされたもので、閉鎖部材の開放を適当な速度で静粛に行わせて、閉鎖部材や窓部が損傷されず、家畜、家禽にはストレスを与えることがなくて、しかも市販部品を利用した簡単な構造のため、装置を安価に製作できる断電時開窓装置を提供する。
【０００５】
【課題を解決するための手段】
前記課題を解決するため、本発明に係る無窓飼育舎の断電時開窓装置は、閉鎖部材により閉鎖して照明と換気を電力により行う無窓飼育舎において、飼育舎の窓を前記窓の閉鎖部材に直流の電動開閉手段を連係させ、この開閉手段により給電の継続中は前記閉鎖部材を閉鎖させて置き、断電が起きるとタイマーを起動させて、タイマーの設定時間以上断電が続く場合、前記直流の電動開閉手段への給電を蓄電池に切換えて、前記閉鎖手段の開放を行わせる構成を採用したものである。
【０００６】
【作用】
本発明に係る無窓飼育舎の断電時開窓装置は、窓の閉鎖部材を開閉手段により閉じると、飼育舎は自然の採光、換気が行われない無窓状態になるから、この状態では電力により飼育舎の照明と、送気手段から送風し、排気手段により排気する換気を行って、飼育環境を人工的に最善の状態に保持させて置く。
【０００７】
しかし、予期しない停電や、給電系統にトラブルが起きるため断電が生じるときは、検知器によりこれを検知してタイマーを起動させ、断電が飼育舎に酸欠状態が起こるタイマーの設定時間以上続くときは、制御器により直流の電動開閉手段へ蓄電池から給電を行わせて開閉手段を作動させ、窓の閉鎖部材を適当な時間を掛けて静かに開放し、窓から飼育舎内へ外光と外気を取り入れて、自然の採光と換気を行い酸欠現象の発生を防止して飼育環境の保全を行うものである。
【０００８】
【実施例】
以下に本発明に係る無窓飼育舎の断電時開窓装置の実施例を図面に基づいて説明する。
【０００９】
図１は本発明に係る無窓飼育舎の断電時開窓装置の第一実施例を示す一部分の正面図、図２は同上実施例の一部分を示す縦断側面図、図３は本発明に係る無窓飼育舎の断電時開窓装置の第二実施例を示す一部分の縦断側面図、図４は本発明に係る無窓飼育舎の断電時開窓装置の第三実施例を示す一部分の縦断側面図、図５は図１に示す実施例に用いた閉鎖部材の電動式開閉手段を示す一部分を縦断した正面図、図６は図１に示す実施例に用いた閉鎖部材の巻上げドラムを示す正面図、図７は図１に示す実施例の電気回路図である。
【００１０】
図１、図２に示す第一実施例において符号１は、全体を遮光、断熱、気密の構造とした無窓飼育舎を示すもので、両側壁に開口の大きい金網２張りの窓３を設けて、この窓３内に下側から途中まで遮光板４を立設し、窓３の内外両側には後記する閉鎖部材を設けて、この閉鎖部材で窓３を閉鎖すると飼育舎１が排気可能な状態で遮光される無窓構造になる。従って、この状態では飼育舎１内を照明手段５により照明すると共に、送気手段６により送風し、後記する開閉部材と遮光板４の間のＵ形通路７から排気させて換気することにより、飼育舎１内の環境を家畜、家禽の飼育に最適な条件に人工的に調整して効率が良い飼育が行われるようにすることができる。又、前記閉鎖部材を開放すると窓３が開いた開放飼育舎となって、窓３から外光と外気を取り入て殆ど動力不要で効率がよい飼育が行われるようになるものである。
【００１１】
図１、図２において符号８は、前記飼育舎１の窓３を閉鎖する手段としてのカーテンを示すもので、合成樹脂シートなどの可撓性を有する素材により形成し、その内側は光吸収のために黒色とし、外側は光反射のためにアルミニュームの蒸着か銀や白色塗料の塗布を施して外光を完全に遮断させるようにしてあり、このカーテン８はその上端を窓枠等へ固定して置き、下端に各カーテン８の連動杆９を取付けて、この連動杆９を後記する開閉手段により下降させると、閉鎖部材８が解き降されて窓３を閉鎖し、上昇させると閉鎖部材８が巻上げられて窓３を開放する構成としてあり、このカーテン８は図２、図４に示すように窓３の内側と外側に二重に設けると、断熱性が悪くなり易い窓３の断熱性を良くすることができる。
【００１２】
図１、図６ににおいて符号１０は、前記連動杆９の端部に固定した巻上ドラムを示すもので、この巻上ドラム１０は、図６に拡大して示す通り、右左の螺旋溝１１と１２を左右に半分ずつ対称的に設け、これら両螺旋溝１１と１２にそれぞれワイヤ１３と１４を巻着して、その一方のワイヤ１４の端部を基礎又は飼育舎等へ固定し、他方のワイヤ１３を後記する電動ウインチのドラムへ巻着するようにしてある。
【００１３】
図１、図５において符号１５は、前記閉鎖部材８を開閉する手段としての直流の電動ウインチを示すもので、そのドラム１６に前記巻上ドラム１０へ巻着した一方のワイヤ１３の端部を滑車１７を迂回させて巻着し、該電動ウインチ１５をドラム１６がワイヤ１３を解き出すように作動させると、前記巻上ドラム１６はカーテン８を解き出しながら下側へ移動して窓３を閉鎖し、又  ドラム１６がワイヤ１３を巻取るように作動させると、前記巻上ドラム１０はカーテン８を巻取る方向へ回転しながら窓３の上側ヘ移動して窓３を開放させるもので、この電動ウインチ１５は、図５に示すようにウオーム１８とウオーム歯車１９とでドラムへ回転を伝達するモータ軸２０に、傘歯車２１と２２とによりハンドル軸２３を連係させて置けば、このハンドル軸２３にハンドル（図面省略）を取り付けてドラム１６を手動回転させることが可能となる。
【００１４】
図７において符号２４は、前記直流の電動ウインチ１５の電源を、商用電源又は発電装置等からの交流電源ＡＣの給電中と、この給電が停止する断電が、飼育舎に酸欠状態が起こる時間以上続いたときとで、整流器Ｒの出力直流と、これを蓄電した蓄電池Ｂからの出力直流とに切換える制御手段で、整流器Ｒからの給電路に断電検知器Ｓを設けて置き、これが断電を検知するとタイマーＴを起動させ、飼育舎に酸欠状態が起こる時間に合わせてタイマーに設定してある時間以上の断電が続くと、制御器Ｃにより蓄電池Ｂから直流を電動ウインチ１５へ供給させ、電動ウインチ１５のドラム１６を回転させて巻揚ドラム１０によるカーテン８の開放を行わせ、窓３を開いて無窓飼育舎１を開放飼育舎にする操作を自動的に行わせるもので、この制御手段２４は、給電が開始されたら直流の電動ウインチ１５へ整流器Ｒから給電が行われるように構成すれば、給電の開始に伴いカーテン８を閉鎖して開放飼育舎を無窓飼育舎に戻す操作も自動的に行わせることができる。
【００１５】
図３に示す第二の実施例は、閉鎖部材８が巻上げにより閉鎖し、解き出しにより開放する点で前記第一の実施例と相違する。このため窓３内に上側から途中まで遮光板４を垂下させ、窓３の内外両側には閉鎖手段としてのカーテン８を設けて、その下端を窓枠等へ固定し、上端には各カーテン８を連動させる連動杆９を取付けて、この連動杆９の端部に図６に示すように巻上ドラム１０を固定し、両螺旋溝１１と１２にそれぞれワイヤ１３と１４を巻着して、図３のように一方のワイヤ１４の端を基礎、飼育舎等へ固定し、他方のワイヤ１３の端を滑車１７を迂回して図５に示す直流の電動ウインチ１５のドラム１６に巻着してある。
【００１６】
従って、この第二実施例では、電動ウインチ１５をドラム１６がワイヤ１３を解き出すように作動させると、前記巻上ドラム１６はカーテン８を解き出しながら下側へ移動して窓３を閉鎖して飼育舎１を無窓構造とするから、給電が継続される間はこの状態を保持して、照明手段５による照明及び送気手段６からの送気と通路７からの排気による換気とで飼育環境を人口的に設定する。しかし、断電が飼育舎の酸欠を起こす時間以上続くときは、電動ウインチ１５をドラム１６でワイヤ１３を巻取るように作動させると、前記巻上ドラム１０がカーテン８を巻取る方向へ回転しながら窓３の上側ヘ移動して窓３を開放させるから、飼育舎１は開放式となって自然の採光と換気による飼育環境に切換られるものである。
【００１７】
図４に示す第三の実施例は、飼育舎１に非常用の通気窓３を設けて、金網２を張り、この窓３を閉鎖遮光手段としの開き戸８により開閉するもので、この開き戸８は下側を蝶番２５により窓枠へ取付けて、少し外側へ傾けることにより自然に外方へ開らくようにしてあり、この開き戸８の上側に図３のようにワイヤ１３の一端を結び、他端を滑車１７を迂回させて図５に示す電動ウインチ１５のドラム１６へ巻着することにより、電動ウインチ１５をドラム１６によりワイヤ１３が巻き取られるように回動させると、開き戸８が引き上げられて窓３を閉鎖し、飼育舎１を無窓式にするため、給電が継続される間はこの状態を保持して、飼育環境を人工的に設定して置く。しかし、断電が酸欠状態を起す時間以上続くときは、電動ウインチ１５をドラム１６によりワイヤ１３が解き出されるように回動させると、開き戸８が倒れて窓３を開放し、飼育舎１を開放式にするため飼育環境は自然の採光、換気によるものに切換られるものである。
【００１８】
【発明の効果】
前述した通り本発明に係る無窓飼育舎の断電時開窓装置は、断電が飼育舎の酸欠を起す時間続けば、飼育舎の窓を閉鎖している閉鎖部材の開閉手段が蓄電池により作動されて閉鎖部材を開放し、飼育舎へ窓から外光と外気が取入れられるようにするため、夜中や不在中に長時間断電することがあっても、飼育舎が酸欠状態にならないから、飼育する家畜や家禽が弊死する被害が完全に防止されて、しかも、断電が酸欠状態を起さない短時間の場合は、閉鎖部材は開放しないため、無用に開放した閉鎖部材を閉鎖するための手間がかゝらないし、又、閉鎖部材を電動開閉手段により開放するため、衝撃を伴わない静粛な閉鎖が可能になって、閉鎖部材及び窓部の損傷は防止され、飼育する家畜や家禽にストレスを与えることもなくなるし、更に、蓄電池や電動ウインチ等の市販部品を用いた簡単な構造で装置が構成されるから、装置を低廉な価格で提供できるという経済的効果も有するものである。
【図面の簡単な説明】
【図１】本発明に係る無窓飼育舎の断電時開窓装置の第一実施例を示す一部分の正面図である。
【図２】同上実施例の一部分を示す縦断側面図である。
【図３】本発明に係る無窓飼育舎の断電時開窓装置の第二実施例を示す一部分の縦断側面図である。
【図４】本発明に係る無窓飼育舎の断電時開窓装置の第三実施例を示す一部分の縦断側面図である。
【図５】図１に示す実施例に用いた閉鎖部材の電動式開閉手段を示す一部分を縦断した正面図である。
【図６】図１に示す実施例に用いた閉鎖部材の巻上げドラムを示す正面図である。
【図７】図１に示す実施例の電気回路図である。
【符号の説明】
１  飼育舎
３  窓
８  閉鎖部材
１５  直流の電動開閉手段
１２  制御手段
Ｒ    蓄電池
Ｓ    検知器
Ｔ  タイマー
Ｃ  制御器
【図１】
0003672621.tif 000002
【図２】
0003672621.tif 000003
【図３】
0003672621.tif 000004
【図４】
0003672621.tif 000005
【図５】
0003672621.tif 000006
【図６】
0003672621.tif 000007
【図７】
0003672621.tif 000008